(57)【要約】      （修正有）【課題】印字ヘッドとプラテンとの位置合せを簡単にするものである。【解決手段】用紙が搬送される搬送経路Ｘと、この搬送経路Ｘに面して配置された印字ヘッド３と、搬送経路Ｘを挟んで印字ヘッド３に対向して配置され、その対向面を平坦状に形成したプラテン２とで構成される。そして、このプラテン２は、平坦面２１aを有する角柱部材２１と、この角柱部材２１を挟んで配置された複数のピンチローラ２３、２４、２５と、この複数のピンチローラ間に張り渡され用紙を搬送するエンドレスベルト２２とから構成される。【選択図】図２
2012187796.tif 000002
【特許請求の範囲】
【請求項１】
用紙が搬送される搬送経路と、
この搬送経路に面して配置された印字ヘッドと、
前記搬送経路を挟んで前記印字ヘッドに対向して配置され、その対向面を平坦状に形成したプラテンと、
を備えるプリンタ。
【請求項２】
前記プラテンは、平坦面を有する角柱部材と、この角柱部材を挟んで配置された複数のピンチローラと、この複数のピンチローラ間に張り渡され用紙を搬送するエンドレスベルトとから構成されたことを特徴とする請求項１記載のプリンタ。
【請求項３】
前記エンドレスベルトはその両端部内面にベルト歯部を有し、このベルト歯部に噛み合い前記エンドレスベルトに駆動力を伝達するローラ歯部を前記複数のピンチローラのうち少なくとも一つのピンチローラの両端部に形成したことを特徴とする請求項２記載のプリンタ。
【発明の詳細な説明】
【技術分野】
【０００１】
本発明の実施形態はプリンタに関する。
【背景技術】
【０００２】
従来、用紙やインクリボンの交換のために、印字ヘッドブロックと搬送ブロックを分離させたプリンタでは、印字ヘッドと丸プラテンの位置を決めるため、印字ヘッドブロック側に設けた爪でプラテンシャフトを抱え込むようにしたものが知られている。
【先行技術文献】
【特許文献】
【０００３】
【特許文献１】特開２００６−３１５２８５号公報
【発明の概要】
【発明が解決しようとする課題】
【０００４】
しかしながら、このようなプリンタでは、印字ヘッドの発熱体と断面が円形状のプラテンローラの接点とを正確に位置合せしなければならず、即ち、線と線を正確に合わせるという高度な技術が必要であり、そのために高度な機構や調整機構などを有していた。万が一、位置ズレが生じると印字品質を低下させるという問題があった。
【０００５】
そこで、本発明が解決しようとする課題は、印字ヘッドとプラテンとの位置合せを簡単にするものである。
【課題を解決するための手段】
【０００６】
本発明の実施形態におけるプリンタは、用紙が搬送される搬送経路と、この搬送経路に面して配置された印字ヘッドと、前記搬送経路を挟んで前記印字ヘッドに対向して配置され、その対向面を平坦状に形成したプラテンとを備える。
【図面の簡単な説明】
【０００７】
【図１】実施形態のプリンタの構成を概略的に示す側面図。
【図２】印字部を構成する印字ヘッドとプラテンとの関係を示す側面図。
【図３】印字部を構成する印字ヘッドとプラテンを上方から見た平面図。
【図４】プリンタの各部の電気的接続を示すブロック図。
【発明を実施するための形態】
【０００８】
以下、実施形態のプリンタを図面を参照して説明する。図１は、実施形態のプリンタの構成を概略的に示す側面図、図２は、印字部を構成する印字ヘッドとプラテンとの関係を示す側面図、図３は、印字部を構成する印字ヘッドとプラテンを上方から見た平面図である。本実施の形態は、バーコードプリンタへの適用例である。
【０００９】
図１に示すように、プリンタであるバーコードプリンタ１は、印字部４、フィードローラ５、ローラ押え６、透過型光センサ７などから構成されている。そして、このバーコードプリンタ１には、フィードローラ５およびローラ押え６側から透過型光センサ７を経由し印字部４へ至る搬送経路Ｘが形成されている。
【００１０】
次に、印字部４について図２ないし図３を参照して説明する。図２に示すように、印字部４は、プラテン２と、搬送経路Ｘを挟んでこのプラテン２に対向して配置された印字ヘッドであるサーマルヘッド３とで構成されている。そして、このプラテン２は、サーマルヘッド３に対向する面が平坦状に形成された平坦面２１ａとなっている角柱部材２１と、この角柱部材２１を挟み、且つ搬送経路Ｘに面して配置された第１のピンチローラ２３および第２のピンチローラ２４と、これら第１のピンチローラ２３と第２のピンチローラ２４との間で搬送経路Ｘから離間し、且つこの搬送経路Ｘに対して第１のピンチローラ２３および第２のピンチローラ２４と同じ側に配置された第３のピンチローラ２５と、これらの第１ないし第３のピンチローラ２３、２４、２５にわたって張り渡されたエンドレスベルト２２とから構成されている。そして、第１のピンチローラ２３，角柱部材２１および第２のピンチローラ２４にわたって張り渡されたエンドレスベルト２２のサーマルヘッド３側の面は平坦状に形成された平坦面２２ｃになっており、この平坦面２２ｃは搬送経路Ｘの一部を構成している。
【００１１】
図３に示すように、エンドレスベルト２２には、その両端部の内面にベルト歯部２２ａと２２ｂがそれぞれ形成されており、第１ないし第３のピンチローラ２３、２４、２５にも、その両端部にローラ歯部２３ａと２３ｂ、２４ａと２４ｂ、２５ａと２５ｂがそれぞれ形成されている。これら第１ないし第３のピンチローラ２３、２４、２５のそれぞれのローラ歯部２３ａと２３ｂ、２４ａと２４ｂ、２５ａと２５ｂに、エンドレスベルト２２のベルト歯部２２ａと２２ｂが噛み合い、第１ないし第３のピンチローラ２３、２４、２５からの駆動力がエンドレスベルト２２に伝達される。本実施形態では、第１ないし第３のピンチローラ２３、２４、２５のうち、第１のピンチローラ２３に駆動部としてのモータ１４が連結されている。そして、プラテン２は、用紙Ｐを用紙搬送方向Ａに向けて搬送する機能も有している。なお、プラテン２の上方には、搬送経路Ｘを挟んで第１の押えローラ２６と第２の押えローラ２７とが設けられている。
【００１２】
図２及び図３に示すように、サーマルヘッド３は、ヘッドブラケット２８に固定されて設けられており、このヘッドブラケット２８は、後端部に設けられた保持部であるヘッド軸２９を回動中心として、サーマルヘッド３がプラテン２から離反する方向へ回動自在に設けられている。そして、サーマルヘッド３には、エッジもしくはエッジに近い部分で、かつ、プラテン２を構成する角柱部材２１の平坦面２１ａの長手方向（図３における紙面で左右方向）に沿って発熱体３ａが配設されている。
【００１３】
また、図１に示すように、用紙搬送方向Ａにおけるプラテン２の上流側には、搬送部材として機能するフィードローラ５が回転自在に設けられており、このフィードローラ５の上方には搬送経路Ｘを挟んでローラ押え６が設けられている。これにより、搬送経路Ｘにおいてフィードローラ５とローラ押え６とに挟まれた用紙Ｐは、フィードローラ５の回転により、印字部４に案内される。
【００１４】
そして、プラテン２とフィードローラ５との間には、用紙Ｐの搬送経路Ｘを挟んで設けられた発行素子と受光素子とからなる透過型光センサ７が配設されている。この透過型光センサ７は、用紙Ｐとしてラベル用紙を用いた場合には、周知のように各ラベルのギャップ部を検出して用紙送りの位置決めを行うものである。
【００１５】
次に、バーコードプリンタ１の各部の電気的接続について図４を参照して説明する。図４に示すように、バーコードプリンタ１には、各種の演算処理を実行して各部を集中的に制御するＣＰＵ８が設けられている。このＣＰＵ８には、制御プログラム等の固定的データを予め格納する記憶媒体であるＲＯＭ９と、可変的なデータを書換自在に格納するＲＡＭ１０とがパス接続されている。これらのＣＰＵ８、ＲＯＭ９、ＲＡＭ１０により、制御系が構成されている。
【００１６】
また、ＣＰＵ８には、サーマルヘッド３を駆動するサーマルヘッドドライバ１１と、用紙搬送制御部１２と、オペレータパネル１３とが接続されている。用紙搬送制御部１２には、搬送部材として機能するプラテン２やフィードローラ５に連結された駆動部としてのモータ１４を駆動する紙送りドライバ１５と、透過型光センサ７とが接続されている。オペレータパネル１３には、所定内容を入力するための各種キー１６が設けられている。
【００１７】
上記の実施形態をとれば、バーコードプリンタ（プリンタ）１において、サーマルヘッド（印字ヘッド）３の発熱抵抗体３ａはプラテン２の角柱部材２１の平坦面２１ａに対向しているので、サーマルヘッド３とプラテン２との位置合せが簡単にできる。
【００１８】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００１９】
１              バーコードプリンタ（プリンタ）
２              プラテン
２１            角柱部材
２１ａ          角柱部材の平坦面
２２            エンドレスベルト
２２ａ、２２ｂ  エンドレスベルトのベルト歯部    
２３            第１のピンチローラ
２３ａ，２３ｂ  第１のピンチローラのローラ歯部
２４            第２のピンチローラ
２４ａ，２４ｂ  第２のピンチローラのローラ歯部
２５            第３のピンチローラ
２５ａ，２５ｂ  第３のピンチローラのローラ歯部
３              サーマルヘッド（印字ヘッド）
３ａ            発熱体
４              印字部
Ｘ              搬送経路
Ｐ              用紙
【図１】
2012187796.tif 000003
【図２】
2012187796.tif 000004
【図３】
2012187796.tif 000005
【図４】
2012187796.tif 000006